(57)【要約】【課題】メインレンズの非点収差のこの同じレンズの収差係数の低減への寄与、電子銃、ＢＥＲの低いセクションで実現される非点収差システムの実現の両者に関し、陰極線管用の電子銃を提供する。【解決手段】本発明は、決定された伝播軸Ｚに従って電子ビームを放出するカソード、伝播軸に従って直列に連続して配置される第一の電極Ｇ１、第二の電極Ｇ２を有する陰極線管のための電子銃に関する。第一の電極Ｇ１は、矩形の開口ｇ１．１〜ｇ１．３を特徴付ける第一のプレートを有し、開口のエッジは一定の厚さを有し、第二の電極Ｇ２は、矩形の開口の大きい方の寸法よりも大きい直径Φの円形の開口ｇ２．１〜ｇ２．３を特徴付ける第二のプレートを有し、これらは、０．７ｍｍ≦Ｗ≦０．９ｍｍ，０．５ｍｍ≦Ｈ≦０．７ｍｍ，０．５ｍｍ≦Φ≦０．９ｍｍであることが好ましい。また、電極Ｇ１とＧ２との間の距離ｄは３．３４ｍｍ≦ｄ≦０．４５ｍｍのように提供される。【選択図】図５
2006339153.tif 000002
【特許請求の範囲】
【請求項１】
決定された伝播軸に従って電子ビームを放出する少なくとも１つのカソード、前記伝播軸に従って直列に連続して配置される第一の電極、第二の電極及び電子銃の少なくとも１つの出力レンズを有する陰極線管のための電子銃であって、
前記第一の電極は、前記伝播軸に従って配列された少なくとも１つの矩形の開口を特徴付ける第一のプレートを有し、
前記第一のプレートの前記矩形の開口のエッジは、開口の全ての周囲で一定の厚さを有し、
前記第二の電極は、前記伝播軸を中心とする少なくとも１つの円形の開口を特徴付けするプレートを有し、前記第一の電極の矩形の開口の大きい方の寸法は、前記第二の電極の円形の開口の直径よりも小さい、
ことを特徴とする電子銃。
【請求項２】
前記矩形の開口の大きい方の寸法は、当該電子銃の水平方向のプレーンに平行である、
ことを特徴とする請求項１記載の電子銃。
【請求項３】
当該電子銃の全体の非点収差は、式
【数１】
2006339153.tif 000014
により得られ、（ＡＳＴ  ＢＦＲ）は電子ビームの形成ゾーンにより発生する非点収差であって、この場合−１０００Ｖ≦（ＡＳＴＩＧ＿ＢＦＲ）≦１０００Ｖであり、（ＡＳＴ  ＰＲＯＣ）は電子ビーム形成ゾーン（ＢＦＲ）とメインレンズとの間に位置されるプリフォーカスレンズ（ＰＲＥＦＯＣ）の非点収差であって、この場合０Ｖ≦（ＡＳＴＩＧ＿ＰＲＯＣ）≦−１０００Ｖであり、（ＡＳＴ  Ｌｅｎｓ）はメインレンズにより発生する非点収差であって、この場合０Ｖ≦（ＡＳＴＩＧ＿Ｌｅｎｓ）≦２５００Ｖであり、ａ0，ａ1，ａ2，ａ3，ａ12，ａ23は一定の係数である、
ことを特徴とする請求項２記載の電子銃。
【請求項４】
係数ａ0，ａ1，ａ2，ａ3，ａ12，ａ23は、以下の値を有する、
【表１】
2006339153.tif 000015
ことを特徴とする請求項２記載の電子銃。
【請求項５】
前記第一の電極及び前記第二の電極が発生する決定された値ＡＳＴＩＧの非点収差について、前記第一及び第二の電極の開口の寸法及び前記第一及び第二の電極を分離する距離は、関係式
【数２】
2006339153.tif 000016
により決定され、
Ｗは前記第一の電極の開口の長い方の側の長さであり、Ｈは前記第一の電極の開口の短い方の側の長さであり、ΦはＷとＨのペアの大きい方の寸法に従う第二の電極の開口の直径であり、ｄは２つの電極間の距離である、
ことを特徴とする請求項４記載の電子銃。
【請求項６】
前記第一の電極の開口の長い方の側の長さＷは、０．７ｍｍと０．９ｍｍの間であるか、又は０．７ｍｍと０．９ｍｍのうちの１つに等しく、
前記第一の電極の開口の短い方の側の長さＨは、０．５ｍｍと０．７ｍｍの間であるか、又は０．５ｍｍと０．７ｍｍのうちの１つに等しく、
前記第二の電極の開口の直径Φは、０．５ｍｍと０．９ｍｍの間であるか、又は０．５ｍｍと０．９ｍｍのうちの１つに等しく、ＷとＨのペアの大きい方の寸法に従い、
前記第一の電極と前記第二の電極との間の距離ｄは、０．３４ｍｍと０．４５ｍｍの間であるか、０．３４ｍｍと０．４５ｍｍのうちの１つに等しい、
ことを特徴とする請求項５記載の電子銃。
【請求項７】
電子ビームが１１０°よりも大きな最大角度に従って偏向されるのを可能にする偏向システムと共に電子ビームを発生する電子銃を有する陰極線管であって、
前記請求項１乃至６のいずれか記載の電子銃を組み込んだことを特徴とする陰極線管。
【発明の詳細な説明】
【技術分野】
【０００１】
本発明は、陰極線管用の電子銃に関し、特に、銃の低いセクション、すなわちカソードとメインレンズとの間の電子線成形領域で非点収差が前補正される電子銃に関する。  
また、本発明は、かかる電子銃を適用する陰極線管の関する。
【背景技術】
【０００２】
陰極線管用の電子銃では、メインレンズ（図１におけるＧ８−Ｇ９）は、ビームのサイズ、及び最終的に発生源を含むＢＦＲ（Ｂｅａｍ  Ｆｏｒｍａｔｉｏｎ  Ｒｅｇｉｏｎ）Ｇ１−Ｇ２のサイズを調節するプリフォーカスレンズ（Ｇ３−Ｇ４Ｇ５）と共に、スクリーンの中央に電子銃を焦点合わせするために使用される。
【０００３】
スタティックガンの研究では、スクリーンの解像度は、銃により形成される電子ビームの形状に依存する。
【０００４】
現在のトレンドは、管の深さを低減するように１１０°よりも大きくすることが可能な電子ビームを偏向する管を製造することである。これらの大きな偏向は、スクリーンのエッジ及び特にスクリーンのコーナーで電子ビームの大きな歪み（特に非点収差）をつくる。これらの歪みを補償するため、１つのソリューションは、前偏向に従って銃のレベルでビームのサイズを制御することからなる。
【０００５】
これは、ピクチャのエッジでより大きなレベルの解像度を有する非点収差ビームを生成することを含む。通常、電子銃に記録される非点収差は、その水平方向と垂直方向の間の反対対称のビームを形成するための開口の十分な楕円形状によるメインレンズの特性である。かかる非点収差の値は、光学的な改善の基準に従って固定され、システムの偏差の作用にも関連する。
【０００６】
スタティックガンの状況は、水平プレーンで非常に細長いビームを与え、垂直プレーンで非常に薄いビームを与えるスクリーンのそれぞれの位置での電子ビームの前偏向の結果を克服するため、ビームの強い反対対称を必要とする。この状況の否定的な結果は、スクリーンの中央における垂直ラインと水平ラインとの間のプレーンの成形の余りに大きな不一致である。この非点収差は、余りに高く、球面収差を低減するための非常に有利なメインレンズの機械的な構造を壊すことなしに低減することが困難である。
【０００７】
図１ａに示される電子銃の３つのメインパートは、ＢＦＲ電子ビームゾーン、プリフォーカスゾーンＰＲＥＦＯＣ及びメインレンズである。
【０００８】
ＢＦＲは、カソード及びプリフォーカスレンズとして知られるレンズへの入力により境界設定されるビームの放射及び生成のゾーンである。これは、この記載では２つのグリッド（Ｇ１，Ｇ２）に関する。
【０００９】
非点収差の分散は、銃（ＢＦＲ＋ＰＲＥＦＯＲＣＵＳＩＮＧ＋ＭＡＩＮ  ＬＥＮＳ）の３つの部分、又はときには２つの部分（ＢＦＲ＋ＭＡＩＮ  ＬＥＮＳ）に依存する。
【００１０】
これら２つの状況では、１つの非点収差の値は、（収差又は銃の動作ポイントの調節のような）光学的な改善の基準に従ってメインレンズで常に設定される。これより、非点収差は、他の２つ又は３つの部分から調節される必要がある。
【特許文献１】１．ＥＰ０７６２４６４Ａ（ＭＡＴＳＵＳＨＩＴＡ  ＥＬＥＣＴＲＯＮＩＣＳ  ＣＯＲＰＯＲＡＴＩＯＮ）  １９９７−０３−１２．２．ＵＳ６５２２０５７Ｂ１（ＬＥＥ  ＳＡＮＧ−ＨＯＯＮ）  ２００３−０２−１８．３．ＵＳ４５４２３２０Ａ（ＳＵＺＵＫＩ  ＥＴ  ＡＬ）  １９８５−０９−１７．
【発明の開示】
【課題を解決するための手段】
【００１１】
本発明は、メインレンズの非点収差のこの同じレンズの収差係数の低減への寄与、電子銃、ＢＥＲの低いセクションで実現される非点収差システムの実現の両者に関する。
【００１２】
本発明は、スクリーンの解像度を得るのを可能にする固定された電圧Ｖｆを有する（図１ｂ）、適切な電極の構造をもつ電子ビームの成形のための２つの電極システムを組み込んだ陰極線管用の電子銃に関する。
【００１３】
本発明の目的は、スクリーンのスポットのサイズ及び形状を改善するため、銃の非点収差（水平ラインのフォーメーションと垂直ラインのプレーンとの間の不一致）を最適化することである。
【００１４】
電子銃における余りに高い非点収差の１つの望まれない作用は、垂直サイズと水平サイズとの間のスクリーンのスポットの余りに高い不均衡を含む。具体的に、非点収差は、その水平及び垂直のディメンジョンは非点収差がない場合に等しくあるべきである、エレメントの水平サイズＸと垂直サイズＹ（図２）との間の不一致である。  
非点収差（Astigmatism）＝サイズＸ−サイズＹ
また、非点収差は、水平方向のディメンジョン（ＦｏｃｕｓＨ）を最小にするフォーカス電圧、垂直方向のディメンジョン（ＦｏｃｕｓＶ）を最小にする電圧で表される。  
非点収差＝フォーカス（Ｆｏｃｕｓ）Ｈ−フォーカス（Ｆｏｃｕｓ）Ｖ  
スタティックガンでは、非点収差は、メインレンズ、水平及び垂直方向の反対対称性の焦点により補正される。水平球面の収差係数における低減は、線形な方式で銃の非点収差に従う（図３参照）ことが観察される。本発明は、この問題点を解決する。
【００１５】
銃の低いセクションにおける非点収差の現象の実現は、たとえば特許ＵＳ５７６０５５０に記載されるような、その効率が強く矩形かつ固有の開口に関して僅かに減衰される矩形の「スロット」タイプの開口に加えられる円形のグリッドの構成にリンクすることができる。しかし、この非点収差のグリッドを製造することは、マルチフォームであり、したがって機械的な観点から制御するのが困難であるので複雑である。
【００１６】
したがって、本発明は、決定された伝播軸に従って電子ビームを放出するカソードを含む陰極線管用の電子銃に関する。また、この軸に従って直列に配列される、第一の電極、第二の電極、及び電子銃の少なくとも１つの出力レンズを連続して有している。第一の電極は、対称な軸がかかる軸である少なくとも１つの矩形の開口を特徴付ける第一のプレーンを有する。この矩形の開口のエッジは、全体の開口の周りで一定の厚さを有する。さらに、第二の電極は、かかる伝播軸で少なくとも１つの円形の開口を特徴付ける第二の平面を有する。第一の電極の矩形の開口の大きなディメンジョンは、第二の電極の円形の開口の直径よりも小さい。
【００１７】
かかる矩形の開口の大きなディメンジョンは、銃の水平方向のプレーンに平行であることが有利にも提供される。  
さらに、本発明によれば、電子銃の異なる主要部により誘発された非点収差、特に電子ビーム形成ゾーンの非点収差、プリフォーカスレンズの非点収差及びメインレンズの非点収差を調節するための措置を講じることができ、これら３つのユニットが以下を与える。
【００１８】
【数３】
2006339153.tif 000003
更に詳細には、選択された非点収差の値に係らず、以下の多項式により電子銃の非点収差が得られる。
【００１９】
【数４】
2006339153.tif 000004
この多項式では、ＡＳＴ  ＢＦＲは、電子ビームの形成ゾーンにより生じた非点収差であり、この場合−１０００Ｖ≦ＡＳＴＩＧ＿ＢＦＲ≦１０００Ｖであり、ＡＳＴ  ＰＲＯＣは、電子ビーム形成ゾーン（ＢＦＲ）とメインレンズとの間に位置されるプリフォーカスレンズ（ＰＲＥＦＯＣ）の非点収差であり、この場合０Ｖ≦ＡＳＴＩＧ＿ＰＲＯＣ≦−１０００Ｖであり、ＡＳＴ  Ｌｅｎｓはメインレンズにより生じた非点収差であり、この場合０≦（ＡＳＴＩＧ＿Ｌｅｎｓ）≦２５００Ｖであり、ａ０，ａ１，ａ２，ａ３，ａ１２，ａ２３は、以下のテーブルで示される値を顕著に有する定数の係数である。
【００２０】
【表２】
2006339153.tif 000005
第一の電極の矩形の開口の大きなディメンジョンは、第二の電極の円形の開口の直径よりも小さいことが好ましい。かかる第一及び第二の電極が発生する必要がある特定の値ＡＳＴＩＧ（ＢＦＲ）の非点収差を得るため、２つの電極の開口のディメンジョン（寸法）及びこれら２つの電極を分離する距離は、以下の関係により決定される。
【００２１】
【数５】
2006339153.tif 000006
ここでＷは第一の電極Ｇ１の開口の長い側の長さであり、Ｈは第一の電極Ｇ１の開口の短い側の長さであり、Φは第二の電極Ｇ２の開口の直径であり、Ｇ１（Ｈ，Ｗ）の最も大きな寸法に等しいか、又は該寸法よりも大きく、ｄは２つの電極Ｇ１及びＧ２の間の距離であり、ｂ０，ｂ１，ｂ２，ｂ３，ｂ１２，ｂ１３，ｂ１１，ｂ２２，ｂ３３は定数である。
【００２２】
本発明の１つの好適な実施の形態によれば、電極のディメンジョンは、以下であるように提供される。第一の電極の開口の大きい方の側の長さＷは０．７ｍｍと０．９ｍｍとの間であるか、又はこれらの値のうちの１つに等しい。第一の電極の開口の小さい方の側の長さＨは、０．５ｍｍと０．７ｍｍとの間であるか、又はこれらの値のうちの１つに等しい。第二の電極の開口の直径Φは、０．５ｍｍと０．９ｍｍとの間であるか、これらの値のうちの１つに等しく、最も大きい方のディメンジョン（Ｗ又はＨ）に従う。両方の電極間の距離ｄは０．３４ｍｍと０．４５ｍｍとの間にあるか、又はこれらの値のうちの１つに等しい。
【００２３】
また、本発明は、１１０°よりも大きな最大角に従って電子ビームが偏向されるのを可能にする偏向システムと共に電子ビームを発生する電子銃を有する陰極線管にも適用することができる、この銃は、このように記載された電子銃を組み込んでいる。  
本発明の異なる目的及び特徴は、添付図面と同様に後続する詳細な説明で更に明らかにされるであろう。
【発明を実施するための最良の形態】
【００２４】
本発明によれば、銃（メインレンズ側）の上部分の構造を保持することで非点収差を制限し、したがって２０００ボルトよりも大きな銃の全体の非点収差を制限することを可能にする、電子銃のメインレンズの非点収差に逆らう非点収差をつくることが提供される。したがって、これは、銃の低い部分において、メインレンズにより生成された非点収差を前補正することを含む。
【００２５】
図１ａにより概説される電子銃では、非点収差の分散は、銃の３つの部分（ＢＦＲ＋ＰＲＥＦＯＣ＋ＭＡＩＮ  ＬＥＮＳ）又はときには２つの部分（ＢＦＲ＋ＭＡＩＮ  ＬＥＮＳ）に依存する。これら２つの状況では、非点収差の値は、（銃の動作ポイントの調節の収差のような）光学的な改善の基準に従ってメインレンズ用に常に設定される。これより、他の部材の非点収差が調節される必要がある。本発明は、銃（ＢＦＲ）の低いセクションと同様に、非点収差の値に寄与するプリフォーカスレンズの可能な挙動の両者に関する。
【００２６】
３つのユニットＢＦＲ、ＰＲＥＦＯＣ及びＭＡＩＮ  ＬＥＮＳは、以下の全体の非点収差を発生する。
【００２７】
【数６】
2006339153.tif 000007
本発明によれば、電子銃の全体かつ機能的な非点収差は、３つの非点収差（ＢＦＲ＋ＰＦＯＣ＋ＭＬ）に、選択される非点収差に係らず以下の多項式により変換される相当に低いが無視できないインタラクション（相互作用）を加えた合計であるように設計される。
【００２８】
【数７】
2006339153.tif 000008
【００２９】
【表３】
2006339153.tif 000009
この多項式では、非点収差の値が以下の条件に従うことが有利に提供される。
−１０００Ｖ≦ＡＳＴＩＧ＿ＢＦＲ      ≦１０００Ｖ
０Ｖ        ≦（ＡＳＴＩＧ＿ＰＲＯＣ）≦−１０００Ｖ
０Ｖ        ≦（ＡＳＴＩＧ＿ＬＥＮＳ）≦２５００Ｖ
本発明のフレームワークにおいて、他のレンズの非点収差の値を考慮することでＢＦＲの非点収差を最適化することが求められる。２つの個別の状況が例として提案される。
【００３０】
１つのケースでは、プリフォーカスレンズの非点収差は−９００Ｖに設定され、メインレンズの非点収差は＋２１３０Ｖに設定される。
【００３１】
他のケースでは、−６００Ｖでのプリフォーカスレンズ及び１３５０Ｖでのメインレンズについて、式はなお線形であるがシフトされる。
【００３２】
図４における曲線により例示されるように、たとえば１３５０Ｖ及び２１３０Ｖといったレンズにおいて明らかに遠方の２つの状況について、たとえば８００ボルトの値の銃で全体の非点収差を得るための状態は、非点収差のペアＰＲＥＦＯＣ／Ｍａｉｎレンズ（−９００Ｖ，２１３０Ｖ）についてＢＦＲにおける非点収差の−５５０Ｖ、及び非点収差のペアＰＲＥＦＯＣ／ＭＬ（−６００Ｖ，１３５０Ｖ）について−９０Ｖの存在を必要とする。
【００３３】
本発明は、メインレンズの非点収差のこの同じレンズの収差係数の低減への寄与、（ＢＥＲにおける）電子銃の低いセクションで実現される非点収差システムの実現の両者に関する。
【００３４】
図５ａ〜図５ｃは、本発明に係る電極の実施の形態を示している。これらの図では、カソード及び電極Ｇ１，Ｇ２及びＧ３のみが示されている。これらの電極は、図１の銃の電極Ｇ１〜Ｇ３に対応する。
【００３５】
電極Ｇ１は、カソードＫ１，Ｋ２及びＫ３の軸に面して位置される矩形の開口ｇ１．１，ｇ１．２及びｇ１．３を有するメタルプレートである。これらの開口は、幅Ｗ及び高さＨを有する。
【００３６】
電極Ｇ２は、電極Ｇ１の開口とカソードＫ１，Ｋ２及びＫ３と一直線に位置される直径Φの円形の開口ｇ２．１，ｇ２．２，ｇ２．３を有するメタルプレーンである。電極Ｇ２の開口の直径は、電極Ｇ１の開口の最も大きな寸法Ｗよりも少なくとも大きい。
【００３７】
電極Ｇ１はゼロ電位にあり、電位Ｖ２は電極Ｇ２に印加される。  
両方の電極は、お互いから距離ｄにある。  
電極Ｇ１の開口は、銃が搭載される管のスクリーンの水平軸に対応する銃の水平方向にその最も大きな寸法が垂直にあるように指向される。
【００３８】
両方の電極の電極Ｇ１及びＧ２の開口の寸法Ｗ，Ｈ及びΦ、並びに距離ｄは、ＢＦＲにおける決定された非点収差を取得する目的で決定される。非点収差ＡＳＴＩＧ＿ＢＦＲの変動は、全体のパラメータの変異性の領域（Ｗ，Ｈ，Φ，ｄ）で適用可能な（経験に基づいた）二次の多項式の表現により、数学的な形式で表現することができる。寸法Ｗ，Ｈ，ｄ及びΦは、以下の多項式のモデルを使用することで決定することができる。
【００３９】
【数８】
2006339153.tif 000010
この多項式では、ｂ０，ｂ１，ｂ２，ｂ３，ｂ１２，ｂ１３，ｂ１１，ｂ２２，ｂ３３は、確定されている定数であって、以下の表で示される値を顕著に有している。
【００４０】
【表４】
2006339153.tif 000011
１つの好適な実施の形態によれば、電極の開口の寸法は、以下のように提供される。
０．７ｍｍ≦Ｗ≦０．９ｍｍ
０．５ｍｍ≦Ｈ≦０．７ｍｍ
０．５ｍｍ≦Φ≦０．９ｍｍ
また、電極Ｇ１とＧ２との間の距離ｄは３．３５ｍｍ≦ｄ≦０．４５ｍｍのように提供される。  
かかる電極Ｇ１及びＧ２が設けられた電子銃では、銃の全体の非点収差ＡＳＴＩＧは、０ボルトと＋２０００ボルトとの間で変動する。  
相関係数は、非常に満足されるものであり、モデルの変数と非点収差との間の非常に良好な関係を想定しており、その例は、図６ａにおけるグラフの形式での表現で見ることができる。このグラフは、グリッドＧ２での電子銃の非点収差の応答を示しており、その開口は、直径Φ＝０．７９ｍｍを有しており、グリッドはｄ＝０．３８１ｍｍにより分離されている。ｘ軸及びｙ軸に関して、グリッドＧ１の開口の値Ｗ及びＨをそれぞれ発見する。
【００４１】
同様に、銃の低いセクションにおける非点収差における変動は、電極Ｇ２で印加される電圧Ｖ２（カソードの放射ゾーンから電子が抽出されるのを可能にする電圧）の分散につながる。また、「カットオフ」電圧は、以下のような多項式の数学モデルに従って変化する。
【００４２】
【数９】
2006339153.tif 000012
【００４３】
【表５】
2006339153.tif 000013
最後に、上述された関係は、８０００ボルト≦Ｖｆ≦９０００ボルトについて有効であり、必要とされるソリューション（ＡＳＴＩＧ，Ｖ２）は、
−１０００ボルト≦ＡＳＴＩＧ（ＢＦＲ）≦１０００ボルト、及び
３５０ボルト≦Ｖ２≦６５０ボルト
により得られる。
【００４４】
このように得られた銃は、テンションＶ２を低減し、これは、できるだけ動作電圧を低減するのに有効であるテレビジョンセットのシャシについて有効である（電圧Ｖ２の値は、一般に９００ボルト前後である）。
【００４５】
その目的が銃の全体の非点収差の更に正確な制御である、別の円形グリッドに隣接する純粋に矩形のグリッドの使用は、銃のメインレンズの非点収差がドリフトするのを可能にする手段であり、これは、必要とされる非点収差の固有な値を制御しつつ、球面収差を大きく低減する。
【００４６】
低いセクションにおける固有の矩形のグリッドは、（製造がシンプルで）大量の製造が容易であるので、非点収差を最小コストで完全に制御するのを可能にする。  
しかし、寸法の制約が考慮される必要がある（矩形グリッドの比率Ｈ／Ｖは、開口の「水平ディメンジョン」／「垂直ディメンジョン」を表す）。得られたシミュレーション及び結果は、電流密度の問題を克服するためにこれらの制約を考慮している。記載されていない幾つかのディメンジョンは、異なるカソード放射の規則に対して障害となる可能性がある。本発明に係る銃の好適な実施の形態の環境では、形状のファクタは、Ｈ／Ｖ＜１．８に制限される。この比率を悪化させないことが好ましい。電子放出ゾーンはクリティカルであり、電子−光モデリングによる認識について非常に迅速に問題となる。限界は、Ｈ／Ｖ−１．５４に設定されるのが有効であり、期待される結果に非常に近い電圧に従う経験的な電流曲線を提供する。
【図面の簡単な説明】
【００４７】
【図１】図１ａ及び図１ｂは従来技術で知られている電子銃である。
【図２】球面収差の低減に係る非点収差を説明する図である。
【図３】球面収差の低減に係る非点収差における変動の曲線を示す図である。
【図４】２つの異なる状況で電子銃の非点収差を示す曲線である。
【図５】図５ａ乃至図５ｃは、本発明に係る実施の形態を示す図である。
【図６】図６ａ乃至図６ｂは、本発明に係る例示的な銃の非点収差の応答を示す図である。
【符号の説明】
【００４８】
Ｚ        ：軸
Ｋ１〜Ｋ３：カソード
Ｇ１〜Ｇ３：電極
ｇ１．１〜ｇ１．３：開口
ｇ２．１〜ｇ２．３：開口
【図１】
2006339153.tif 000017
【図２】
2006339153.tif 000018
【図３】
2006339153.tif 000019
【図４】
2006339153.tif 000020
【図５】
2006339153.tif 000021
【図６】
2006339153.tif 000022